(57)【要約】【課題】  汚染排出を減少し、液体炭化水素を有するボイラーの燃料を節約する液体炭化水素内燃機関を備えた機器に取付ける装置【解決手段】  純酸素混合装置と、燃料混合装置内のイオン発生分子とが組み合わせて、液体炭化水素の分子と相互作用して一時的にその構造を変化させ、気化しやすくすることとなり、燃料混合装置内のセラミックに、銅線コイルを巻きつけた構による組合せの作用のもとで、燃料混合装置を通じて分子を活性化することにより、炭化水素の分子構造の一時的変化が得られる、ことを特徴とする装置。【選択図】図１
2010181131.tif 000002
【特許請求の範囲】
【請求項１】
ギヤーポンプ等にて圧力を加えた重油等をパイプに多数の孔をあけた所からパイプを中心とした周囲に複数本の円筒状のセラミックを配置し各々のセラミックに連結した裸銅線（ダイオード付）を巻き付けた所に重油等を噴射させ重油等の分子と酸素の分子との混合を依り一層密にし、燃焼効率を良くすることを特徴とする何れかに記載の装置。
【請求項２】
液体炭化水素を有するボイラーの噴射バーナー手前に有るギヤ−ポンプとオイルタンクとの間に取付けて、純酸素と混合器の組合せで、酸素分子を混合器装置内のフロースイッチ３個による電子制御することを特徴とする何れかに記載の装置。
【請求項３】
複雑な炭素や水素原子の鎖が、オイルギヤーポンプの流動にて発生される合成波により破壊され、これらの炭素鎖が酸素導入装置の気体酸素にて、より良く燃焼するのにふさわしい炭素鎖とすることを特徴とする何れかに記載の装置。
【請求項４】
液体炭化水素を有するボイラーにおける、エネルギーを節約する装置において、混合器装置内の圧抜にオイルと霧状オイルとの分離装置を取付たことを特徴とする何れかに記載の装置。
【請求項５】
液体炭化水素を有するボイラーにおける、エネルギーを節約する装置において、複数の混合器装置を使用することに依ってギヤーポンプの供給能力を最大限に引き出す事が出来る何れかに記載の装置。
【請求項６】
液体炭化水素を有するボイラーにおける、エネルギーを節約する装置において、圧力を加えた重油等を酸素と交差させ円筒内に圧縮バネ形状とスパイラル形状を組合せた所に重油酸素の混合した液状を通過させ混合を促進させる何れかに記載の装置。
【請求項７】
メインタンクの真上にサブタンクを設置連結しメインタンクからサブタンクにエアーと共に気泡上の油が流出した場合、サブタンク内のステン等の金属片に油を付着させ液状にしてメインタンクに戻し、油が外部に流出するのを防ぎ尚、第一サブタンクから排出した油分を含んだエアーを濾過紙等を内蔵した第二サブタンクを通過させる事に依って油分とエアーを分離する何れかに記載の装置。
【発明の詳細な説明】
【技術分野】
【０００１】  液体炭化水素を燃焼する蒸気ボイラー又は、温水ボイラー又は、高温バナーを備た内燃に関する。
【背景技術】
【０００２】  ボイラー技術を推進しても、炭化水素全体を作用させることはできず、これら問題を克服するためにこれまで多くの解決策が提案されており、コントロールエレクトロニクスとの両方に関連した努力がなされてきたが、結果、低消費率と汚染排出削減を保証するのに必要な、完璧な操作条件のもとに装置を維持するためには、製造コストがかなり増し、常に尽力が要求されてきた。
【発明の開示】
【０００３】  他社の分子化装置と称して、押し付けられる磁石エレメントを含む、燃料サービスタンクに電磁波と遠赤外線とを合成放出する装置が知られている。
【発明が解決しようとする課題】
【０００４】  この装置は以下簡単に説明するような幾つかの不都合及び欠点がある。
第１の問題は、電磁波の伝達を得るためには、燃料サービスタンクに一定の放射性添加基材を取り入れねばならないことである。この解決策は、燃料内で溶融される基材が燃料ポンプから経路を塞ぐ傾向にあることから、一時しのぎにすぎない。
【０００５】  装置内に配置されその位置を維持されている、磁石との接触と正常な位置付けにより、電磁波が増加させられる。これは、時間と共に劣化する傾向にあるため、以下の諸問題を起こす欠点の原因となる。サービスタンク導管が塞がれる可能性を起こす。従って他社の特許に開示された装置は、操作性が時間とともに変化し温水ボイラーのダメージを起こし得るため、実際に使用することができない。
【課題を解決するための手段】
【０００６】  本発明は、温水ボイラーと蒸気ボイラーの燃料ポンプシステムを変更することなく簡単に設置され、混合器装置内の全燃料を内部で操作できる装置を提供することによりこれら問題を解決するものである。
これは、セラミックと銅線コイルとマグネットによる組合せでイオンが発生することができる燃料分子化装置で達成され、燃料に添加剤を使用することなく、その機能と構造装置を構成する異なる純酸素燃料混合装置の材料と配することとの組み合わせによって、電磁波とイオンの生成を増し、燃料全体に広がる燃料分子化装置と燃料混合装置に関連随するエネルギーが、炭化水素の分子と相互作用し、一時的にその構造を変化させて、さらに気化しやすくする。これによって、燃焼が増大、改良され、これまで燃焼されなかった燃料の殆どが燃焼されることとなる。これによって、汚染排出及び消費率を非常に削減させ、ボイラーがより清浄化され、その働きがさらに効果を増すことになる。
【発明の効果】
本発明をさらに理解するために、好ましい実施態様を図示した添付図面に従って、以下詳細に説明するが、本発明は実施例に限定されるものではない。
【発明を実施するための最良の形態】
【０００７】  上述のごとく、本発明による装置は液体燃料に含まれている炭化水素の分子構造を一時的に変化せしめて燃料気化促進装置として作用する。
特に、これは、セラミックと銅線コイルとマグネットによる組合せで燃料分子をでイオン活性化することで達成されるのでありイオン化は、セラミックと銅線コイルとマグネットによる組合せで発生される、並びに燃料のギャーポンプで送り出る運動ネルギーと純酸素燃料混合装置による相互作用により発生される。【０００８】  セラミックと銅線コイルとマグネットとによる組合せでイオン化する装置は、円筒形を有しており、純酸素燃料混合装置も円筒形を有して、硬い導管内に配置れ、セラミックと銅線コイルとマグネットによる組合せで、イオン化する装置は、環状の金属パイプより形成されている。【０００９】  本発明の特徴によれば、上述のごとく、前記アセンブリは、オイルタンクとボイラーの間で連続的に電気モター（ギヤーポンプ）に液体炭化水素を有するボイラーの噴射バーナー手前に有る、ギヤ−ポンプとオイルタンクとの間に取付けて、純酸素と混合器の組合せで、酸素分子を混合器装置内のフロースイッチ３個による電子制御する接続されていることによって、オイルタンクとボイラーとが電気的な電磁バルプ制御されることが保証される。
【実施例】
【００１０】  本発明を他と区別する特徴と特性をさらに開示するために、以下に装置の各構成を詳細に説明する。【００１１】  環状の永久磁石構成物は、内部に配置された部材全てを、正しい位置に維持する機能を有する。永久磁性材料製である。これらの磁石は、最新のものに属し、現在利用可能な他の磁石の何れよりも非常に高い効果を有しており、特にサマリウムの高エネルギーと磁力とにより、非常に小型で効果の高い磁石の設計が可能である。これらの永久磁石は、電磁波をより多く発生させるものであって、これらの広がりに非常に重要である。
永久磁石は、これら成分の化学的効果を強化するのに必須である。
永久磁石は、また別の形態を有してもよい。【００１２】  装置を燃料供給パイプの中間内に設置し、ギヤーポンプ等にて圧力を加えられた重油等を（３１）よりパイプに多数の孔をあけた所からパイプを中心とした周囲に複数本の円筒状のセラミックを配置し各々のセラミックに連結した裸銅線（ダイオード付）を巻き付けた所に重油等を噴射させ重油等の分子と酸素の分子との混合を依り一層密にし、セラミックと銅線コイルとマグネットマグネットコイルによる組合せの合成電磁波は、燃料の質が電磁波放出により次第に改良される。つまり燃料が純化され、重い煙及び又は、粒子生成することなく、非常に素早く燃料を燃焼することができる。これは、混合タンク（３５）内の液体燃料がその分子構造に一時的変更を受け、これが純酸素によって素早く気化されうることを意味している。【００１３】  言い換えれば、炭素及び水素原子の複雑な炭素鎖を特徴とするＡ重油やディーゼル油や灯油などの燃料を考慮すると、本発明により発生される装置によりこれらが破壊されることになる。これらの炭素鎖は、炭素結合において断たれ、炭素鎖に酸素結合が増え良質の内燃によりふさわしいものとなる。これは、また、炭化水素からなる内燃及び液体燃料の場合全ての場合にも言えることである。【００１４】  本発明によれば、混合装置（３５）内の液体燃料が、圧力を加えた重油（１）等を酸素（２４）と交差させ円筒内に圧縮バネ形状とスパイラル形状（２８）を組合せた所に、液体燃料酸素の混合した液状（３０）を通過させ混合を促進させ、ギヤーポンプの移動によりかき混ざぜた場合に、複雑な炭素や水素原子の鎖が、ギヤーポンプの流動にて発生され、合成波により破壊され、これらの炭素鎖が酸素導入装置の気体酸素にて、より良く燃焼するのにふさわしい炭素鎖とするその内部に起こる静電気（イオン）が、燃料の分子構造を変えることで、相互の分子集合を低下させ、炭化水素分子間の酸素透過性を良好かつ増大させることになる。【００１５】  このことは、すべて、以下のような有効な効果をもたらす。
非燃焼炭化水素排出の徹底削減−消費率の削減−燃料供給システムの清浄化をより効率よく作用させる。【００１６】  さらに、液体燃料受入の要求に置いては、削減装置をメインタンク内の中間に設置するので、燃料ポンプシステムは変更する必要がなく、外部からの供給がないので、純酸素燃料混合装置を使用燃料の数量（２９）によって複数の混合器装置を使用する事も出来る。【００１７】  またメインタンクの真上にサブタンク（３２）を設置連結しメインタンクからサブタンクにエアーと共に気泡上の油（３３）が流出した場合、サブタンク内のステン等の金属片に油を付着させ液状にしてメインタンクに戻し、油が外部に流出するのを防ぎ尚、第一サブタンクから排出した油分を含んだエアーを濾過紙等に内蔵した第二のサブタンク（３４）を通過させる事に依って油分とエアーを分離する。依ってギヤーポンプ（２）の供給能力を最大限に引き出す事が出来る。また混合器装置内の圧抜にオイルと霧状オイルとの分離装置を取付短絡による汚染の可能性が全体的に排除される。実験によれば、この装置を使用して、各耐久力にもよるが、燃料消費率は１０〜１２％削減されたことがわかった。
【産業上の利用可能性】  最後に、前述の説明から言えることは、本発明は、変更することなく、燃焼用液体炭化水素を燃焼させるどのような温水ボイラーにも適用することができる。
本発明を好ましい実施態様に添って説明図示したが、本産業発明の範囲を逸脱することなく、この分野に従事するものが同等の変更、代替ができる。
【図面の簡単な説明】
【図１】純酸素と混合器の組合せで、酸素分子を混合器装置内のフロートスイッチによる全体構成システムブロック図である。
【図２】酸素導入装置の断面図である。
【図３】混合器装置内に、内蔵されたオイルと霧状オイルとの分離装置断面図である。
【図４】酸素導入装置器並列使用の断面図である。
【図５】混合器装置内の圧抜に、オイルと霧状オイルとの分離装置断面図である。
【図６】混合器装置内のフロートスイッチの配置断面図である。
【符号の説明】
【００１７】  １      オイル受入
２      ギヤーポンプ  モター
３      酸素導入装置器
４      混合装置器
５      非常時切り替え装置器
６      オイル排出
７      酸素／オイル混合出口
８      スプリング
９      スパイラル板
１０    気体酸素受入
１１    オイル受入口
１２    ノズルＡ
１３    ノズルＢ
１４    フランジ板固定ナツト穴
１５    圧抜口
１６    酸素／オイル混合受入口
１７    上部円形フランジ板
１８    フランジ板固定ナツト穴
１９    酸素／オイル混合導入管
２０    オイル貯の仕切板
２１    オイルと霧状オイルとの分離穴鋼板
２２    霧状オイルが分離されたオイル流れ
２３    液体燃料と純酸素混合出口
２４    純酸素導入口
２５    混合出口
２６    純酸素分配管
２７    圧送された液体燃料導入口
２８    スパイラルを内臓された混合装置
２９    純酸素導入口
３０    液体燃料と純酸素混合出口
３１    液体燃料と純酸素混合入口
３２    圧抜調整用第一タンク
３３    霧状液体の流れ
３４    圧抜調整用第二タンク
３５    （液体燃料／純酸素）混合生成タンク
３７    液体燃料と純酸素混合出口
３８    混合生成タンクフタ
３９    最上部フロートスイッチ
４０    中間部フロートスイッチ
４１    下部フロートスイッチ
【図１】
2010181131.tif 000003
【図２】
2010181131.tif 000004
【図３】
2010181131.tif 000005
【図４】
2010181131.tif 000006
【図５】
2010181131.tif 000007
【図６】
2010181131.tif 000008